(57)【要約】【課題】  従来のガス遮断装置においては、強制停止手段や各駆動制御手段ごとに複数の検出手段が必要になり回路規模が大きくなるとともに制御手段側の端子が多く必要になり、マイコン等では入力端子が不足する等の課題があった。【解決手段】  制御手段２は一定時間毎に遮断手段３が停止中かどうか判定し、遮断手段３が停止中であった場合は、遮断手段３への給電部電圧変化を調べることで駆動制御手段の短絡や断線を簡単に検出する異常検出処理を行う。【選択図】  図１
2016006360.tif 000002
【特許請求の範囲】
【請求項１】
ガスの供給や遮断を行う遮断手段と、遮断手段を駆動する第１駆動手段及び第２駆動手段と、前記第１駆動手段を制御する第１駆動制御手段と、前記第２駆動手段を制御する第２駆動制御手段と、前記第１駆動制御手段、前記第２駆動制御手段とを制御する制御手段と、給電手段と、前記給電手段から前記第１の駆動手段および第２の駆動手段に電力を供給する状態を検出する電源状態検出手段とを備え、
前記制御手段は、前記遮断手段が非動作時に定期的に、前記第１駆動制御手段、前記第２駆動制御手段、ＯＮ／ＯＦＦする信号を組み合わせて出力するとともに、各組合せ出力時の電源状態検出手段の出力信号により、前記第１駆動手段、前記第２駆動手段の短絡故障を検出することを特徴とするガス遮断装置。
【請求項２】
制御手段は、前記遮断手段が非動作時に定期的に、前記第１駆動制御手段、前記第２駆動制御手段、ＯＮ／ＯＦＦするタイミングをずらす信号を組み合わせて出力するとともに、各組合せ出力時の電源状態検出手段の出力信号により、前記第１駆動手段、前記第２駆動手段の短絡故障を検出することを特徴とする、請求項第１記載のガス遮断装置。
【請求項３】
制御手段は給電手段の状態を検出する第２の電源状態検出手段を設け、前記制御手段は、
前記遮断手段が非動作時に定期的に、前記第１駆動制御手段、前記第２駆動制御手段、ＯＮ／ＯＦＦする信号を組み合わせて出力するとともに、各組合せ出力時の第２の電源状態検出手段の出力信号により、前記第１駆動手段、前記第２駆動手段の断線故障を検出することを特徴とするガス遮断装置。
【発明の詳細な説明】
【技術分野】
【０００１】
本発明は、遮断装置の故障を速やかに検出して報知を行うガス遮断装置に関するものである。
【背景技術】
【０００２】
従来、この種のガス遮断装置は、遮断が発生しない通常使用時においても、定期的に確認することにより、故障を検出するようにしている。
【０００３】
図５は、従来のガス遮断装置のブロック図である。ガス遮断装置１の流量検出手段１３はガスの流量を検出し制御手段２へ出力する。表示手段１４は制御手段２からの出力により検針値や動作状態を示す表示をおこなう。
【０００４】
通信手段１５は制御手段２からの出力により事業者に対して送信すると共に、事業者からの通信を受信し、制御手段２へ出力する。警報器出力手段１６は異常等が発生したときに制御手段２からの出力により、外部に接続された警報器に信号を出力する。
【０００５】
マイクロコンピュータおよびその周辺回路からなる制御手段２は、プログラムを格納し、第１駆動制御手段６、第２駆動制御手段７に出力を行い、それぞれ第１駆動手段４、第２駆動手段５を制御し、ガスの供給や遮断を行う遮断手段３を動作させる。
【０００６】
第１検出手段８及び第２検出手段９はそれぞれ第１駆動手段の両端の電位を検出し、制御手段２へ出力する。第３検出手段１０及び第４検出手段１１はそれぞれ第２駆動手段の両端の電位を検出し、制御手段２へ出力する。第１駆動制御手段６は第１駆動制御手段（ａ）１７、第１駆動制御手段（ｂ）１８、第１駆動制御手段（ｃ）１９、第１駆動制御手段（ｄ）２０から構成され、制御手段２からの出力により、第１駆動制御手段（ａ）１７及び第１駆動制御手段（ｂ）１８を同時に制御し、同様に制御手段２からの別の出力により、第１駆動制御手段（ｃ）１９及び第１駆動制御手段（ｄ）２０を同時に制御する。
【０００７】
第２駆動制御手段７は第２駆動制御手段（ａ）２１、第２駆動制御手段（ｂ）２２、第２駆動制御手段（ｃ）２３、第２駆動制御手段（ｄ）２４から構成され、制御手段２からの出力により、第２駆動制御手段（ａ）２１及び第２駆動制御手段（ｂ）２２を同時に制御し、同様に制御手段２からの別の出力により、第２駆動制御手段（ｃ）２３及び第２駆動制御手段（ｄ）２４を同時に制御する。強制停止手段１２は制御手段２からの出力により、第１駆動制御手段（ｂ）１８、第１駆動制御手段（ｄ）２０、第２駆動制御手段（ｂ）２２及び第２駆動制御手段（ｄ）２４を強制的に停止させる構成となっている。
【０００８】
図６において、制御手段２は遮断手段３が停止中かどうか判定し（Ｓ１）、遮断手段３が停止中であった場合はチェックフラグが１であるかどうか判定し（Ｓ２）、チェックフラグが１でない場合は、Ｓ１０へ進む。チェックフラグが１の場合は、異常検出処理を実行する（Ｓ３）。Ｓ３で実行される異常検出処理は、第１駆動制御手段（ａ）１７及び第１駆動手段（ｂ）１８を制御する駆動出力ＡをＯＮし（Ｓ１３）、第１検出手段８から出力される第１入力、第２検出手段９から出力される第２入力、第３検出手段１０から出力される第３入力、第４検出手段１１から出力される第４入力を取り込み、結果をバッファＡ１に格納する（Ｓ１４）。
【０００９】
Ｓ１５では強制停止手段１２を制御する強制停止出力をＯＮにする。Ｓ１６では第１入力、第２入力、第３入力及び第４入力を取り込み、バッファＡ２へ格納する。Ｓ１７では
駆動出力ＡをＯＦＦするとともに強制停止出力をＯＦＦする。Ｓ１８では第１駆動制御手段（ｃ）１９及び第１駆動手段（ｄ）２０を制御する駆動出力ＢをＯＮし、第１入力、第２入力、第３入力及び第４入力を取り込み、結果をバッファＢ１に格納する（Ｓ１９）。Ｓ２０では強制停止手段１２を制御する強制停止出力をＯＮにする。Ｓ２１では第１入力、第２入力、第３入力及び第４入力を取り込み、バッファＢ２へ格納する。Ｓ２２では駆動出力ＢをＯＦＦするとともに強制停止出力をＯＦＦする。
【００１０】
Ｓ２３では第２駆動制御手段（ａ）２１及び第２駆動手段（ｂ）２２を制御する駆動出力ＣをＯＮし、第１入力、第２入力、第３入力及び第４入力を取り込み、結果をバッファＣ１に格納する（Ｓ２４）。Ｓ２５では強制停止手段１２を制御する強制停止出力をＯＮにする。Ｓ２６では第１入力、第２入力、第３入力及び第４入力を取り込み、バッファＣ２へ格納する。Ｓ２７では駆動出力ＣをＯＦＦするとともに強制停止出力をＯＦＦする。
【００１１】
Ｓ２８では第２駆動制御手段（ｃ）２３及び第２駆動手段（ｄ）２４を制御する駆動出力ＤをＯＮし、第１入力、第２入力、第３入力及び第４入力を取り込み、結果をバッファＤ１に格納する（Ｓ２９）。Ｓ３０では強制停止手段１２を制御する強制停止出力をＯＮにする。Ｓ３１では第１入力、第２入力、第３入力及び第４入力を取り込み、バッファＤ２へ格納する。
【００１２】
Ｓ３２では駆動出力ＤをＯＦＦするとともに強制停止出力をＯＦＦする。Ｓ３３ではバッファＡ１、バッファＡ２、バッファＢ１、バッファＢ２、バッファＣ１、バッファＣ２、バッファＤ１及びバッファＤ２の内容が全て正常かどうか判定する。
（なお、バッファの内容が正常時の論理値表を図７に示す。）Ｓ３３でいずれか一つでも正常でない場合はＳ３５へ進み、全て正常であれば異常フラグを０にする（Ｓ３４）。Ｓ３５では異常フラグを１にする。異常検出処理を実行後、図２のＳ４へ戻り、Ｓ４では異常フラグが０かどうか判定し、０でない場合はＳ７へ進む。
【００１３】
異常フラグが０であった場合、チェックフラグを０にして（Ｓ５）、ＮＧフラグＡを０にする（Ｓ６）。Ｓ７ではＮＧフラグＡが１かどうか判定し、１でない場合はＳ９へ進み、ＮＧフラグＡを１にして処理を抜ける。Ｓ７でＮＧフラグＡが１だった場合は、異常確定とし（Ｓ８）、処理を抜ける。Ｓ１０ではチェックタイミングかどうか判定し、チェックタイミングであった場合にはチェックフラグを１にして（Ｓ１１）、Ｓ１２でＮＧフラグＡを０にし、処理を抜ける。
【００１４】
以上のように、遮断手段が非動作時であっても定期的に遮断手段の断線や駆動回路の故障を検出することができる。
【先行技術文献】
【特許文献】
【００１５】
【特許文献１】特開２００９−０２４９６１号公報
【発明の概要】
【発明が解決しようとする課題】
【００１６】
しかしながら、前特記によるガス遮断装置では、強制停止手段や各駆動制御手段毎に複数の検出手段が必要になり回路規模が大きくなるとともに制御手段側の端子が多く必要になり、マイコン等では入力端子が不足するなどの課題があった。
【００１７】
本発明は、前期従来の課題を解決するもので、検出手段を少なくして制御手段への回路負担を少なくし、遮断弁動作回路の断線や駆動回路の故障を検出するガス遮断装置を提供することを目的とする。
【課題を解決するための手段】
【００１８】
本発明のガス遮断装置は、ガスの供給や遮断を行う遮断手段と、遮断手段を駆動する第１駆動手段及び第２駆動手段と、前記第１駆動手段を制御する第１駆動制御手段と、前記第２駆動手段を制御する第２駆動制御手段と、前記第１駆動制御手段、前記第２駆動制御手段とを制御する制御手段と、給電手段と、前記給電手段から前記第１の駆動手段および第２の駆動手段に電力を供給する状態を検出する電源状態検出手段とを具備する。
そして前記制御手段は、前記遮断手段が非動作時に定期的に、前記第１駆動制御手段、前記第２駆動制御手段、ＯＮ／ＯＦＦする信号を組み合わせて出力するとともに、各組合せ出力時の電源状態検出手段の出力信号により、前記第１駆動手段、前記第２駆動手段の短絡故障を検出する構成としたものである。
【発明の効果】
【００１９】
遮断手段への給電部電圧変化を調べることで駆動制御手段の短絡や断線を簡単に検出することができる。
【図面の簡単な説明】
【００２０】
【図１】本発明におけるガス遮断装置のブロック図
【図２】本発明におけるガス遮断装置のタイミングチャート
【図３】本発明の実施の形態３におけるガス遮断装置のブロック図
【図４】発明の実施の形態３におけるガス遮断装置のタイミングチャート
【図５】従来のガス遮断装置のブロック図
【図６】従来のガス遮断装置の故障検知動作を示すフローチャート
【図７】従来のガス遮断装置の正常時の論理値を示す図
【発明を実施するための形態】
【００２１】
（実施の形態１）
以下、本発明の実施の形態を図面に基づいて説明する。尚、この実施の形態によって本発明が限定されるものではなく、同様の分野における類似の用語または類似の描写を用いて表現することが可能であることは、当業者において容易に理解されるであろう。
【００２２】
図１は、本発明の実施の形態１におけるガス遮断装置の電気回路として理解しやすいように記載したブロック図で、各実施の形態の説明において、同一構成並びに同一作用効果を奏するところには、同一符号を付して重複した説明を行わないものとする。
【００２３】
ガス遮断装置１の流量検出手段１３はガスの流量を検出し制御手段２へ出力する。表示手段１４は制御手段２からの出力により検針値や動作状態を示す表示をおこなう。通信手段１５は制御手段２からの出力により事業者に対して送信すると共に、事業者からの通信を受信し、制御手段２へ出力する。警報器出力手段１６は異常等が発生したときに制御手段２からの出力により、外部に接続された警報器に信号を出力する。
【００２４】
マイクロコンピュータおよびその周辺回路からなる制御手段２は、制御フローを実行するプログラムを格納し、第１駆動制御手段６、第２駆動制御手段７に出力を行い、それぞれ第１駆動手段４、第２駆動手段５を制御し、ガスの供給や遮断を行う遮断手段３を動作させる。第１駆動制御手段６は第１駆動制御手段（ａ）１７、第１駆動制御手段（ｂ）１８、第１駆動制御手段（ｃ）１９、第１駆動制御手段（ｄ）２０から構成され、制御手段２からの出力により、第１駆動制御手段（ａ）１７及び第１駆動制御手段（ｂ）１８を同時に制御し、同様に制御手段２からの別の出力により、第１駆動制御手段（ｃ）１９及び第１駆動制御手段（ｄ）２０を同時に制御する。
【００２５】
第２駆動制御手段７は第２駆動制御手段（ａ）２１、第２駆動制御手段（ｂ）２２、第２駆動制御手段（ｃ）２３、第２駆動制御手段（ｄ）２４から構成され、制御手段２からの出力により、第２駆動制御手段（ａ）２１及び第２駆動制御手段（ｂ）２２を同時に制御し、同様に制御手段２からの別の出力により、第２駆動制御手段（ｃ）２３及び第２駆動制御手段（ｄ）２４を同時に制御する。
【００２６】
給電手段２５は通常、リチウム電池等が用いられる。そして、給電手段２５の状態を検出する電源状態検出手段２６は制御手段２にその出力を送っている。給電手段２５からは整流手段２７と電圧安定手段２８を介して制御手段２に電力を供給している。遮断手段３に大きな電流が流れても整流手段２７より下流の電圧は電圧安定手段２８である程度の時間は一定を保つことが可能である。
【００２７】
遮断手段３として２相のステッピングモータを用いた遮断弁を例にして以下動作を説明する。通常、制御手段２が遮断手段３を遮断動作する場合は制御手段２からの出力により、第１駆動制御手段（ａ）１７及び第１駆動制御手段（ｂ）１８を同時に制御し、次に制御手段２からの出力により、第２駆動制御手段（ａ）２１及び第２駆動制御手段（ｂ）２２を同時に制御する。この動作を予め定めた回数繰り返し、遮断手段３である遮断弁を閉止（遮断）する。反対に遮断手段３を開成動作するには制御手段２からの出力により、第１駆動制御手段（ｃ）１９及び第１駆動制御手段（ｄ）２０を同時に制御し、次に制御手段２からの出力により、第２駆動制御手段（ｃ）２３及び第２駆動制御手段（ｄ）２４を同時に制御する。この動作を予め定めた回数繰り返し、遮断手段３である遮断弁を開成（導通）する。
【００２８】
この動作を行う時に制御手段２から遮断手段３までの経路で断線や短絡故障が発生していては遮断動作を確実に行えずに問題となる。しかし、事前に故障を検出していれば警報を発したり、その警報を元に修理、交換等の対応が可能である。この事前検知について以下説明する。
【００２９】
制御手段２は一定時間毎に遮断手段３が停止中かどうか判定し、遮断手段３が停止中であった場合は、異常検出処理を行う。図２のタイミングチャートを元に説明すると時刻Ｔ１で第１駆動制御手段（ａ）１７及び第１駆動手段（ｂ）１８を制御する駆動出力ＡをＯＮし時刻Ｔ２までのΔＴの時点で電源状態検出手段２６の出力を制御手段２で調べる。
【００３０】
第１駆動制御手段（ａ）１７及び第１駆動手段（ｂ）１８、第１駆動制御手段（ｃ）１９及び第１駆動手段（ｄ）２０がすべて異常無く動作している場合は、給電手段２５から第１駆動制御手段（ａ）１７を介して、第１駆動手段４を通り第１駆動手段（ｂ）１８に電流が流れる。第１駆動手段４はステッピングモータの１相のコイルとすると数１０Ωの抵抗値をもっている。給電手段２５のリチウム電池の出力電圧がたとえば３Ｖ、コイルが３０Ωとすると電流は１００ｍＡ流れる。数百ｍＡ程度の電流であれば図２（ａ）のように給電手段２５の電圧降下はほとんど無いため電源状態検出手段２６は図２（ｂ）の時刻Ｔ１から時刻Ｔ２のように正常値であることを制御手段２に送出している。
【００３１】
もし、ここで第１駆動制御手段（ｃ）１９または第１駆動手段（ｄ）２０の少なくともどちらか一方が短絡故障していると給電手段２５からの電流は第１駆動手段４であるコイルを介さずに第１駆動制御手段（ａ）１７から第１駆動手段（ｄ）２０、もしくは第１駆動制御手段（ｃ）１９から第１駆動手段（ｂ）１８に直接電流が流れてしまう。この場合は負荷抵抗分がほとんど無いため電流値はアンペア単位で流れることもある。このような過大電流に対しては給電手段２５の電池電圧降下は無視できず、例えば図２の時刻Ｔ３から時刻Ｔ４のように電圧が下がってしまう。この電圧が電源状態検出手段２６であらかじめ定めた電圧値Ｖ１以下になった場合は、電源状態検出手段２６が異常と判断して図２（
ｂ）の時刻Ｔ３から時刻Ｔ４のように制御手段２に信号を送出する。制御手段２は第１駆動制御手段６に短絡故障があると判定し、安全のためすぐに遮断手段を駆動する動作を停止する。この場合は第１駆動制御手段（ａ）１７及び第１駆動手段（ｂ）１８、第１駆動制御手段（ｃ）１９へのＯＮ信号をＯＦＦ信号に切り替え給電手段２５から第１駆動手段４への給電を止める。そして、表示手段１４へ出力し、異常表示を開始する。また通信手段１５へ出力し、異常確定を事業者へ知らせるために通信を開始する。さらに使用者に異常が発生していることを知らせるために、警報器出力手段１６へ出力し、警報器出力をＯＮする。
【００３２】
このように駆動手段毎に検出手段を設けなくても給電手段の電圧変化を調べることで駆動回路の故障を検出できるとともに、交換等の故障に対する対応を早めることができ、安全性を高めることができる。
【００３３】
このような異常検出処理をすべての駆動制御手段に対して行う。上記の第１駆動制御手段（ａ）１７及び第１駆動手段（ｂ）１８を制御する駆動出力ＡをＯＮし（Ｓ１３）、電源状態検出手段２６の出力を制御手段２で調べた後には、第１駆動制御手段（ｃ）１９及び第１駆動手段（ｄ）２０を制御する駆動出力ＡをＯＮし図３の時刻Ｔ１のような電圧低下か時刻Ｔ２のような電圧低下かを調べる。これにより第１駆動制御手段（ａ）１７または第１駆動手段（ｂ）１８の少なくとも１つの短絡故障を検出することができる。
【００３４】
同様に第２駆動手段５に対しては第２駆動制御手段（ａ）２１及び第２駆動手段（ｂ）２２、第２駆動制御手段（ｃ）２３及び第２駆動手段（ｄ）２４を用いて短絡状態が無いかを調べる。第２駆動制御手段（ａ）２１及び第２駆動手段（ｂ）２２を制御する駆動出力ＡをＯＮし（Ｓ１３）、電源状態検出手段２６の出力を制御手段２で調べる。第２駆動制御手段（ｃ）２３または第２駆動手段（ｄ）２４の少なくともどちらか一方が短絡故障していると時刻Ｔ２のような電圧降下を発生する。
【００３５】
次に第２駆動制御手段（ｃ）２３及び第２駆動手段（ｄ）２４を制御する駆動出力ＡをＯＮし図３の時刻Ｔ１のような電圧低下か時刻Ｔ２のような電圧低下かを調べる。これにより第２駆動制御手段（ａ）２１または第２駆動手段（ｂ）２２の少なくとも１つの短絡故障を検出することができる。
【００３６】
以上のように、本実施の形態においては、遮断手段が非動作時であっても定期的に遮断手段や駆動回路の故障を検出することができるとともに、交換等の故障に対する対応を早めることができ、安全性を高めることができる。
（実施の形態２）
また、上記の実施の形態では駆動手段をはさんだ駆動制御手段を同時にＯＮして動作を確認している。たとえば第１駆動制御手段（ａ）１７及び第１駆動手段（ｂ）１８を制御する駆動出力Ａを同時にＯＮし、電源状態検出手段２６の出力を制御手段２で調べている。
【００３７】
ここでこの動作にタイミングをずらす方法を説明する。第１駆動制御手段（ａ）１７及び第１駆動手段（ｂ）１８をＯＮする際にまず、第１駆動制御手段（ａ）１７を単独でＯＮする。この時図２時刻Ｔ３から時刻Ｔ４のような電圧降下が発生すると第１駆動制御手段（ｄ）２０が短絡故障していることになる。この電圧降下が発生いないことを確認後、第１駆動制御手段（ｂ）１８を続いてＯＮする。この時図２時刻Ｔ３から時刻Ｔ４のような電圧降下が発生すると第１駆動制御手段（ｃ）１９が短絡故障していることになる。このような電圧降下が発生しない場合は正常動作と判断できる。
【００３８】
同様に第１駆動制御手段（ｃ）１９及び第１駆動手段（ｄ）２０をＯＮする際にまず、
第１駆動制御手段（ｃ）１９を単独でＯＮして第１駆動制御手段（ｂ）１８の短絡有無を確認し、次に第１駆動制御手段（ｄ）２０を続いてＯＮして第１駆動制御手段（ａ）１７の短絡有無を確認することができる。第２駆動制御手段についても動作が同じのため説明を省略する。
【００３９】
このように遮断手段が非動作時であっても定期的に駆動制御手段のタイミングをずらして動作することにより遮断手段や駆動回路の故障箇所をより限定して検出することができるとともに、交換等の故障に対する対応を早めることができ、安全性を高めることができる。
（実施の形態３）
次に、図３で第２電源状態検出手段２９を追加した実施の形態３について説明する。
短絡故障の場合は電源電圧の低下により検出できたが、解放故障については電流が流れないため大きな電圧降下が発生せず、単純に電圧降下だけでは検出できない。そこで、第２の閾値を持った第２電源状態検出手段２９を用いて故障検出を行う。短絡時の動作については上記で説明したため、ここでは断線である解放故障に限って動作を説明する。
【００４０】
図４のタイミングチャートを元に説明すると時刻Ｔ１からＴ２で第１駆動制御手段（ａ）１７及び第１駆動手段（ｂ）１８を制御する駆動出力ＡをＯＮし、電源状態検出手段２６および第２電源状態検出手段２９の出力を制御手段２で調べる。
【００４１】
第１駆動制御手段（ａ）１７及び第１駆動手段（ｂ）１８、第１駆動制御手段（ｃ）１９及び第１駆動手段（ｄ）２０がすべて異常無く動作している場合は、給電手段２５から第１駆動制御手段（ａ）１７を介して、第１駆動手段４を通り第１駆動手段（ｂ）１８に電流が流れる。第１駆動手段はステッピングモータの１相のコイルとすると数１０Ωの抵抗値をもっている。給電手段２５のリチウム電池の出力電圧がたとえば３Ｖ、コイルが３０Ωとすると電流は１００ｍＡ流れる。数百ｍＡ程度の電流であれば給電手段２５の電池電圧降下はほとんど無いが０では無い。
【００４２】
この電圧低下を検出できる閾値を図４のＶ２として第２電源状態検出手段２９に予め設定しておくと、図４（ｂ）、（ｃ）のように時刻Ｔ１から時刻Ｔ２で電源状態検出手段２６は正常値を制御手段２に送出しているが、第２電源状態検出手段２９は電圧降下が発生していることを制御手段２に送出する。この場合、電流が流れていることを示すため解放故障が発生していないことになり制御手段２は続けて動作しても何ら問題ない。反対に図４（ｄ）のように第２電源状態検出手段２９が時刻Ｔ１からＴ２で電圧降下の発生を送出しなかった場合は電流が流れていないとして第１駆動制御手段（ａ）１７または第１駆動手段（ｂ）１８もしくは第１駆動手段４の少なくとも１つが断線である解放故障していると認識することができる。
【００４３】
第１駆動制御手段（ｃ）１９、及び第１駆動手段（ｄ）２０をＯＮして同様な電圧変動を調べることで第１駆動制御手段（ｃ）１９または第１駆動手段（ｄ）２０もしくは第１駆動手段４の少なくとも１つが解放故障していると認識することができる。
【００４４】
制御手段２は第１駆動制御手段６系列に断線故障があると判定し、安全のため表示手段１４へ出力し、異常表示を開始する。また通信手段１５へ出力し、異常確定を事業者へ知らせるために通信を開始する。さらに使用者に異常が発生していることを知らせるために、警報器出力手段１６へ出力し、警報器出力をＯＮする。
【００４５】
第２駆動制御手段についても動作が同じのため説明を省略する。図４の時刻Ｔ３からＴ４の動作は短絡故障時の電源状態検出手段２６と第２電源状態検出手段２９の動作であるが実施の形態１と動作が同じであるため説明を省略する。
【００４６】
第２電源状態検出手段２９としては電圧検出用専用ＩＣやマイコン内部のＡＤ変換手段を用いることでより精度の良い検出を可能にすることができる。
【００４７】
このように。遮断手段が非動作時であっても定期的に駆動制御手段を動作することにより遮断手段や駆動回路の断線箇所を検出することができるとともに、交換等の故障に対する対応を早めることができ、安全性を高めることができる。
【産業上の利用可能性】
【００４８】
以上のように本発明は、ガス遮断装置に利用できる。
【符号の説明】
【００４９】
１  ガス遮断装置
２  制御手段
３  遮断手段
４  第１駆動手段
５  第２駆動手段
６  第１駆動制御手段
７  第２駆動制御手段
１３  流量検出手段
１４  表示手段
１５  通信手段
１６  警報器出力手段
１７  第１駆動制御手段（ａ）
１８  第１駆動制御手段（ｂ）
１９  第１駆動制御手段（ｃ）
２０  第１駆動制御手段（ｄ）
２１  第２駆動制御手段（ａ）
２２  第２駆動制御手段（ｂ）
２３  第２駆動制御手段（ｃ）
２４  第２駆動制御手段（ｄ）
２５  給電手段
２６  電源状態検出手段
２７  整流手段
２８  電圧安定手段
２９  第２電源状態検出手段
【図１】
2016006360.tif 000003
【図２】
2016006360.tif 000004
【図３】
2016006360.tif 000005
【図４】
2016006360.tif 000006
【図５】
2016006360.tif 000007
【図６】
2016006360.tif 000008
【図７】
2016006360.tif 000009